(57)【要約】【課題】  安全性に優れたテーブルを備えた子供椅子を提供する。【解決手段】  子供椅子１は、上下方向に延びる一対の縦側板１０と、上方位置において一対の縦側板１０間に挟まれて支持されたテーブル３０と、中間位置において一対の縦側板１０間に挟まれて支持された座板５０と、下方位置において一対の縦側板１０間に挟まれて支持された足載せ板６０とを備える。【選択図】      図２
2006204753.tif 000002
【特許請求の範囲】
【請求項１】
上下方向に延びる一対の縦側板と、
上方位置において、前記一対の縦側板間に挟まれて支持されたテーブルと、
中間位置において、前記一対の縦側板間に挟まれて支持された座板と、
下方位置において、前記一対の縦側板間に挟まれて支持された足載せ板とを備える、椅子。
【請求項２】
前記各縦側板の内側側面には、前記テーブル、前記座板および前記足載せ板を受け入れるように前後方向に延びる複数の溝が形成されている、請求項１に記載の椅子。
【請求項３】
前記座板および前記足載せ板は、それぞれ、上下方向に離れて位置する複数の前記溝に選択的に受け入れられるようになっている、請求項１または２に記載の椅子。
【請求項４】
前記テーブルとは分離されて座席の前方で幅方向に延びる前ガード部材を備え、
前記前ガード部材の両端は、前記一対の縦側板に取り外し可能に連結されている、請求項１〜３のいずれかに記載の椅子。
【請求項５】
前記テーブルは、前下がり傾斜となるように配置されている、請求項１〜４のいずれかに記載の椅子。
【請求項６】
前記座板は、前上がり傾斜となるように配置されている、請求項１〜５のいずれかに記載の椅子。
【請求項７】
その前方端部分が前記一対の縦側板の下端部に回動可能に連結されたベースフレーム部材をさらに備え、
前記ベースフレーム部材は、上下方向に延びる前記縦側板に対して所定の角度を持って床面上に延在する開状態位置と、前記縦側板の前方の位置で縦側板に沿うように延在する折畳み状態位置とを選択的に取ることができるようにされている、請求項１〜６のいずれかに記載の椅子。
【請求項８】
前記ベースフレーム部材を開状態位置および折畳み状態位置で固定するためのベースフレーム固定手段をさらに備える、請求項７に記載の椅子。
【請求項９】
開状態にある前記ベースフレーム部材と前記縦側板との間には、圧縮方向荷重が生じている、請求項７または８に記載の椅子。
【請求項１０】
前記ベースフレーム部材は、幅方向の両側で前記一対の縦側板と同平面に位置する一対のベース側板を含む、請求項７〜９のいずれかに記載の椅子。
【発明の詳細な説明】
【技術分野】
【０００１】
この発明は、椅子に関し、特にテーブルを備えた子供椅子に関するものである。
【背景技術】
【０００２】
幼児用のテーブル付き多機能椅子が、実用新案登録第３０９０９７０号公報（特許文献１）に開示されている。この公報に開示された椅子は、上下方向に延びる左右一組の板状脚と、前方端が上記板状脚に固定されて後方に延びる脚台部と、板状脚の上方部分に回動可能に連結されたテーブルとを備える。側面から見たとき、板状脚と脚台部とでＬ字状の形態を形作る。通常の使用時にはテーブルは板状脚から前方に延在するが、必要に応じて後ろ向きに回動させ得るようになっている。
【特許文献１】実用新案登録第３０９０９７０号公報
【発明の開示】
【発明が解決しようとする課題】
【０００３】
実用新案登録第３０９０９７０号公報に開示された子供椅子では、テーブルの左右の側部に位置する両側棒部分が左右の板状脚の外側側面上に突出して位置している。テーブルを回動させる際には、テーブルの両側棒部分は板状脚の外側側面上に露出した状態で移動することになる。幼い子供を椅子に座らせる場合、子供の手の届く範囲内に可動突出部分を設けておくのは好ましくない。
【０００４】
子供が小さいときには、座席前方に前ガードを設けておくのが好ましい。上記公報に開示された椅子では、テーブルが前ガードとしての機能も併せ持つ。そのため、テーブルを後方に回動させたとき、あるいはテーブルを取り外したときには、前ガードの存在しない椅子になる。安全性を考慮したとき、テーブルを取り外しても、前ガードが存在しているのが望ましい。
【０００５】
この発明の目的は、安全性に優れたテーブルを備えた椅子を提供することである。
【０００６】
この発明の他の目的は、テーブルを取り外した状態でも、安全性に優れた椅子を提供することである。
【課題を解決するための手段】
【０００７】
この発明に従った椅子は、上下方向に延びる一対の縦側板と、上方位置において一対の縦側板間に挟まれて支持されたテーブルと、中間位置において一対の縦側板間に挟まれて支持された座板と、下方位置において一対の縦側板間に挟まれて支持された足載せ板とを備える。
【０００８】
上記構成の椅子によれば、テーブルが一対の縦側板間に挟まれて支持されているので、縦側板上に突出して位置することが無く、安全上好ましい。また、テーブル、座板および足載せ板を一対の縦側板間に挟むことにより、側面から見たデザインが非常にすっきりしたものとなる。
【０００９】
一つの実施形態では、各縦側板の内側側面には、テーブル、座板および足載せ板を受け入れるように前後方向に延びる複数の溝が形成されている。このような構成であれば、テーブル、座板および足載せ板を、それぞれ、溝に沿って前後に動かすことが可能になるので、前後方向の位置調節や、取付け・取り外しが容易になる。
【００１０】
好ましくは、座板および足載せ板は、それぞれ、上下方向に離れて位置する複数の溝に選択的に受け入れられるようになっている。このような構成であれば、子供の身体の大きさに合わせて、あるいは子供の成長に応じて、座板および足載せ板の高さを調節できる。
【００１１】
好ましくは、椅子は、テーブルとは分離されて座席の前方で幅方向に延びる前ガード部材を備える。この前ガード部材の両端は、一対の縦側板に取り外し可能に連結されている。このような構成であれば、前ガード部材とテーブルとが分離されているので、テーブルを取り外した状態においても前ガード部材は残り、安全上好ましいものとなる。
【００１２】
テーブルは水平に延在するように設けてもよいが、一つの実施形態では、テーブルは、前下がり傾斜となるように配置されている。前下がり傾斜のテーブルであれば、テーブル上に汁等をこぼしても、その汁等が着座した子供の身体に向かって流れるようなことはない。
【００１３】
着座姿勢を楽にするために、好ましくは、座板は、前上がり傾斜となるように配置されている。
【００１４】
一つの実施形態では、椅子は、その前方端部分が一対の縦側板の下端部に回動可能に連結されたベースフレーム部材をさらに備える。この場合、ベースフレーム部材は、上下方向に延びる縦側板に対して所定の角度を持って床面上に延在する開状態位置と、縦側板の前方の位置で縦側板に沿うように延在する折畳み状態位置とを選択的に取ることができるようにされている。このような構成であれば、ベースフレーム部材を一対の縦側板の前方の位置で縦側板に沿うように折畳むことができるので、椅子の折畳みサイズを小さくすることができる。
【００１５】
好ましくは、椅子は、ベースフレーム部材を開状態位置および折畳み状態位置で固定するためのベースフレーム固定手段をさらに備える。
【００１６】
好ましくは、開状態にあるベースフレーム部材と縦側板との間には、圧縮方向荷重が生じるようにされる。圧縮方向荷重で支えるということは、部材そのものの剛性で荷重を支えることになるので、荷重支持構造が強固になる。一つの実施形態では、ベースフレーム部材は、幅方向の両側で一対の縦側板と同平面に位置する一対のベース側板を含む。
【発明を実施するための最良の形態】
【００１７】
図１〜図３は、この発明の一実施形態に係る子供椅子の外観を示す図であり、図１は正面図、図２は側面図、図３は平面図である。図２は、一方の側面から見た図を示しているが、反対側の側面から見ても実質的に同じ図となる。
【００１８】
図１〜図３を参照して、子供椅子の基本的な構成を説明する。子供椅子１は、幅方向の両側において上下方向に延びる一対の縦側板１０と、縦側板１０の下方端部分に回動軸７４を介して回動可能に取付けられたベースフレーム部材７０と、上方位置において一対の縦側板１０間に挟まれて支持されたテーブル３０と、中間位置において一対の縦側板１０間に挟まれて支持された座板５０と、下方位置において一対の縦側板１０間に挟まれて支持された足載せ板６０とを備える。側面から見て、縦側板１０とベースフレーム部材７０とでＬ字状フレーム構造を形作る。
【００１９】
一対の縦側板１０間には、着座者の背面に位置するように背板部材１４，１５が取付けねじ１６、１７を介して固定されている。また、一対の縦側板１０の間隔を固定するために、両者を連結固定する幅寸法固定ねじ１３，１９が設けられている。
【００２０】
図４は、テーブル３０、座板５０および足載せ板６０が如何にして一対の縦側板１０に支持されているのかを示す端面図である。図示するように、各縦側板１０の内側側面には、テーブル３０を受入れるように前後方向に延びる溝１２が設けられるとともに、座板５０および足載せ板６０を受入れるように前後方向に延びる複数の溝１１が設けられている。座板５０および足載せ板６０は、上下方向に離れて位置する複数の溝１１のいずれかに選択的に受入れられることによって、適正な高さの所に位置するようになっている。従って、子供の身体の大きさに合わせて、あるいは子供の成長に応じて、座板５０および足載せ板６０を最適な高さに設定できる。
【００２１】
幅寸法固定ねじ１３，１９および取付けねじ１６，１７を少しだけ緩めれば、座板５０および足載せ板６０を溝１１に沿って前後に動かすことができる。従って、座板５０および足載せ板６０の前後方向の位置を容易に調整することができる。
【００２２】
テーブル３０は、幅寸法固定ねじ１３，１９および取付けねじ１６，１７を堅く固定した状態においても、溝１２内を前後方向に移動できるようになっている。そのようにすれば、テーブル３０を容易に取り外したり、取付けたりすることができるので、便利である。なお、使用時にテーブル３０の前後方向位置を固定しておくために、テーブル３０の底面中央部にストッパ３３が設けられ、さらに後方端面に係合部材３４が取付けられている。これらのストッパ３３および係合部材３４については、後に詳しく説明する。
【００２３】
図２に示すように、テーブル３０の下には、前ガード部材８０が配置されている。図５はテーブル３０の平面図であり、図６は前ガード部材８０の平面図である。前ガード部材８０は、テーブル３０とは分離して設けられており、その中央部分が座席の前方に位置するように前方に向かって湾曲して延び、その両端が一対の縦側板１０の後端面に固定される。なお、テーブル３０の上面部分の形状に注目すると、その外側縁に外リブ３１が形成され、その内側縁に内リブ３２が形成されている。前ガード部材８０の両端は固定ねじ等によって一対の縦側板１０に固定されるが、固定ねじ等を取り外せば、縦側板１０から分離できる。
【００２４】
図７および図８に示すように、子供椅子１の使用状態では、テーブル３０の底面部中央に設けられたストッパ３３が前ガード部材８０の前方端に当接し、テーブル３０の後方端面に設けられた係合部材３４が前ガード部材８０の後方端に当接している。従って、テーブル３０の前後方向への移動は、禁止される。
【００２５】
テーブル３０を前方に取り外す場合には、係合部材３４を９０度回転させて前ガード部材８０との係合状態を解除し、前方に引き出すようにすればよい。テーブル３０を取り外した状態においても、前ガード部材８０は残るので、安全上好ましい。
【００２６】
図９は、テーブル３０、座板５０、足載せ板６０および縦側板１０の位置関係を図解的に示している。テーブル３０は水平に延在するように配置してもよいが、図示した実施形態では、テーブル３０は、水平面に対して僅かな角度αだけ前下がり傾斜となっている。このような傾斜状態にすれば、テーブル３０上に汁等がこぼれても、その汁等が着座した子供の身体に向かって流れるのを防止できる。
【００２７】
着座した姿勢を楽にするために、座板５０および足載せ板６０は、図９に示すように、水平面に対して僅かな角度βだけ前上がり傾斜となるようにする。
【００２８】
図１０は、縦側板１０を単独で示す図である。図示するように、縦側板１０の下方端部分の内側側面に重ね板１８が固定されている。縦側板１０に形成されている穴２２，２３，２４，２５，２６は、それぞれ、取付けねじ１６，１７、幅寸法固定ねじ１３，１９、回動軸７４を受入れるための軸受入穴である。重ね板１８には、軸受入穴２６と等距離の位置に上方穴２０および下方穴２１が形成されている。上方穴２０は、軸受入穴２６の上方に位置し、下方穴２１は、軸受入穴２６の後方に位置している。軸受入穴２６と上方穴２０とを結ぶ線は、縦側板１０の延びる方向とほぼ平行に位置する。また、軸受入穴２６と下方穴２１とを結ぶ線は、ほぼ水平方向に延びる。
【００２９】
ベースフレーム部材７０は、幅方向の両側において前後方向に延びる一対のベース側板７１と、一対のベース側板７１間に取付けねじ７３を介して固定される幅方向連結部材７２とを備える。各ベース側板７１の前方端部分は重ね板１８の外側側面上に位置し、各縦側板１０と同平面に位置する。
【００３０】
各ベース側板７１は、回動軸７４を介して、各縦側板１０に回動可能に連結されている。このベース側板７１は、図２に示すように縦側板１０に対して所定の角度を持って床面上に延在する開状態位置と、図１１に示すように縦側板１０の前方位置で縦側板１０に沿うように延在する折畳み状態位置とを選択的に取ることができるようにされている。図示する子供椅子１は、ベースフレーム部材７０を開状態位置および折畳み状態位置で固定するためのベースフレーム固定手段を備える。ベースフレーム固定手段の構造としては、種々のものが考えられるが、図示した実施形態では、ベースフレーム固定手段は、ロック部材７５を備える。
【００３１】
図１２は、ロック部材７５に関連した構造を図示している。ロック部材７５は、ベース側板７１の外側側面に露出する頭部つまみ部７５ａと、ベース側板７１を貫通してベース側板７１の内側側面を越えて突出することのできる軸部７５ｂとを有する。軸部７５ｂには、ばね受け部材７６が固定されている。また、ベース側板７１内には、軸部７５ｂを取り囲むように圧縮ばね７７が配置されている。圧縮ばね７７はばね受け部材７６を押圧し、それによりロック部材７５をロック位置にもたらすようにしている。
【００３２】
ベースフレーム部材７０の開状態位置は、ロック部材７５の軸部７５ｂが重ね板１８の下方穴２１に係合することによってロックされる。このロック状態は、圧縮ばね７７の付勢力に逆らってロック部材７５の頭部つまみ部７５ａを引き出すことによって解除される。図１１に示すベースフレーム部材７０の折畳み状態位置は、ロック部材７５の軸部７５ｂが重ね板１８の上方穴２０に係合することによってロックされる。
【００３３】
一対のベース側板７１間には幅方向連結部材７２が渡されているが、この幅方向連結部材７２の位置は、ベースフレーム部材７０が折畳み状態位置にあるときに足載せ板６０や座板５０に干渉しないように選ばれる。
【００３４】
図示した実施形態では、開状態にあるベースフレーム部材７０と縦側板１０との間に、圧縮方向荷重が生じるようにされている。具体的には、ベースフレーム部材７０が開状態位置にあるとき、縦フレーム部材１０からの荷重は、ベース側板７１の上部端面で支えられる。このような圧縮方向荷重を生じさせるような構造にすれば、部材そのものの剛性で荷重を支えることになるので、荷重支持構造が強固になる。
【００３５】
上記の実施形態によれば、折畳み状態においてベースフレーム部材７０が縦側板１０の前方の位置で縦側板１０に沿うように延在するので、折畳み状態の嵩張りが小さくなる。小さく折畳んだ椅子を自立可能にするためにベースフレーム部材や縦側板の形状を工夫してもよい。
【００３６】
図示した子供椅子は、子供の成長に応じて最適の形態を取ることができるものである。親から離乳食を与えられるような段階では、図１〜図３に示す形態が取られる。すなわち、子供椅子は、テーブル３０および前ガード部材８０を備え、座板５０および足載せ板６０は相対的に高い位置にある。
【００３７】
成長して子供が自ら食事をすることができるようになった段階では、テーブル３０を取り外す。ただし、安全面を考慮して、前ガード部材８０は取付けたままである。
【００３８】
さらに成長して例えば学童の段階では、前ガード部材８０を取り外し、座板５０および足載せ板６０を下方の位置に変更する。
【００３９】
さらに成長した段階では、座板５０を取り外し、足載せ板６０を座板として使用する。このような使用を考慮して、足載せ板６０を比較的大きな面積のものにしておくのが望ましい。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４１】
この発明は、テーブルを備えた椅子に有利に利用され得る。
【図面の簡単な説明】
【００４２】
【図１】この発明の一実施形態に係る子供椅子を示す正面図である。
【図２】子供椅子の側面図である。
【図３】子供椅子の平面図である。
【図４】テーブル、座板、足載せ板および縦側板の位置関係を正面側から見た図解的断面図である。
【図５】テーブルの平面図である。
【図６】前ガード部材の平面図である。
【図７】テーブルと前ガード部材との位置関係を側面側から見た図である。
【図８】テーブルと前ガード部材との位置関係を正面側から見た図である。
【図９】テーブル、座板、足載せ板および縦側板の位置関係を側面側から見た図解図である。
【図１０】縦側板を単独で示す側面図である。
【図１１】ベースフレーム部材の折畳み状態を示す側面図である。
【図１２】ロック部材に関連した構造を示す断面図である。
【符号の説明】
【００４３】
１  子供椅子、１０  縦側板、１１，１２  溝、１３  幅寸法固定ねじ、１４，１５  背板部材、１６，１７  取付けねじ、１８  重ね板、１９  幅寸法固定ねじ、２０  上方穴、２１  下方穴、２２，２３，２４，２５，２６  軸受入穴、３０  テーブル、３１  外リブ、３２  内リブ、３３  ストッパ、３４  係合部材、５０  座板、６０  足載せ板、７０  ベースフレーム部材、７１  ベース側板、７２  幅方向連結部材、７３  取付けねじ、７４  回動軸、７５  ロック部材、７５ａ  頭部つまみ部、７５ｂ  軸部、７６  ばね受け部材、７７  ばね、８０  前ガード部材。
【図１】
2006204753.tif 000003
【図２】
2006204753.tif 000004
【図３】
2006204753.tif 000005
【図４】
2006204753.tif 000006
【図５】
2006204753.tif 000007
【図６】
2006204753.tif 000008
【図７】
2006204753.tif 000009
【図８】
2006204753.tif 000010
【図９】
2006204753.tif 000011
【図１０】
2006204753.tif 000012
【図１１】
2006204753.tif 000013
【図１２】
2006204753.tif 000014